(57)【要約】【課題】保守契約の終了後に遠隔監視装置を回収できない場合であっても、遠隔監視用プログラムが解析されて技術情報が流出してしまうといった不都合を有効に防止することができるプログラム消去装置およびプログラム消去方法を提供する。【解決手段】実施形態のプログラム消去装置は、タイマと、制御部と、を備える。タイマは、エレベータの保守作業が行われる間隔に基づいて設定時間が設定され、計測時間が前記設定時間に達すると制御信号を出力する。制御部は、前記タイマが前記制御信号を出力した場合に、前記エレベータの設置現場に設けられた遠隔監視装置が記憶する遠隔監視用プログラムを消去する。【選択図】図１
2019123621.tif 000002
【特許請求の範囲】
【請求項１】
エレベータの保守作業が行われる間隔に基づいて設定される設定時間を保持し、カウントした時間が前記設定時間に達すると制御信号を出力するタイマと、
前記タイマが前記制御信号を出力した場合に、前記エレベータの設置現場に設けられた遠隔監視装置が記憶する遠隔監視用プログラムを消去する制御部と、
を備えるプログラム消去装置。
【請求項２】
前記保守作業を行う保守作業員が操作可能なリセットスイッチをさらに備え、
前記タイマがカウントした時間は、前記リセットスイッチの操作に応じてリセットされる
請求項１に記載のプログラム消去装置。
【請求項３】
前記保守作業を行う保守作業員が携帯する保守端末が接続される接続部をさらに備え、
前記タイマがカウントした時間は、前記保守端末から前記接続部を介してリセット信号が入力されるとリセットされる
請求項１に記載のプログラム消去装置。
【請求項４】
前記タイマがカウントした時間は、前記遠隔監視装置と監視センタに設けられた遠隔監視サーバとの間の通信が確立していることを条件としてリセットされる
請求項２または３に記載のプログラム消去装置。
【請求項５】
前記保守作業を行う保守作業員が携帯する保守端末が接続される接続部をさらに備え、
前記タイマの設定時間は、前記保守端末から前記接続部を介して入力される設定信号に応じて設定される
請求項１乃至４のいずれか一項に記載のプログラム消去装置。
【請求項６】
前記タイマは、前記エレベータの設置現場に設けられたエレベータ制御盤から取得した時間情報に基づいて時間をカウントする
請求項１乃至５のいずれか一項に記載のプログラム消去装置。
【請求項７】
タイマと制御部とを用いて実行されるプログラム消去方法であって、
前記タイマは、エレベータの保守作業が行われる間隔に基づいて設定される設定時間を保持し、カウントした時間が前記設定時間に達すると制御信号を出力し、
前記制御部は、前記タイマが制御信号を出力した場合に、前記エレベータの設置環境に設けられた遠隔監視装置が記憶する遠隔監視用プログラムを消去する
プログラム消去方法。
【発明の詳細な説明】
【技術分野】
【０００１】
本発明の実施形態は、プログラム消去装置およびプログラム消去方法に関する。
【背景技術】
【０００２】
エレベータの保守は、保守契約に基づいて実施される。保守契約期間中は、一般に、エレベータの遠隔監視と保守作業員による定期的な現場での保守作業とが行われる。保守契約が締結されると、エレベータの遠隔監視を行えるようにするために、エレベータの設置現場に遠隔監視装置が設けられ、この遠隔監視装置と監視センタに設けられた遠隔監視サーバとが通信回線を介して接続される。遠隔監視装置は、予め記憶した遠隔監視用プログラムに従って、例えば、エレベータ制御盤から診断に用いる情報を収集して遠隔監視サーバに送信したり、収集した情報を用いてエレベータの自己診断を行って診断結果を遠隔監視サーバに送信したりする。
【０００３】
保守契約が更新されずに終了すると、エレベータの遠隔監視が行われなくなるため遠隔監視装置は不要になる。しかし、保守契約の終了後は、保守作業員などがエレベータの設置現場に立ち入ることができない場合も多く、この場合、遠隔監視装置が回収されずに放置されることになる。そして、エレベータの設置現場に遠隔監視装置が放置されると、遠隔監視装置が記憶する遠隔監視用プログラムが第三者により解析されて、秘匿すべき技術情報が流出する虞がある。
【先行技術文献】
【特許文献】
【０００４】
【特許文献１】特開２０１６−２１６１５１号公報
【発明の概要】
【発明が解決しようとする課題】
【０００５】
本発明が解決しようとする課題は、保守契約の終了後に遠隔監視装置を回収できない場合であっても、遠隔監視用プログラムが解析されて技術情報が流出してしまうといった不都合を有効に防止することができるプログラム消去装置およびプログラム消去方法を提供することである。
【課題を解決するための手段】
【０００６】
実施形態のプログラム消去装置は、タイマと、制御部と、を備える。タイマは、エレベータの保守作業が行われる間隔に基づいて設定される設定時間を保持し、カウントした時間が前記設定時間に達すると制御信号を出力する。制御部は、前記タイマが前記制御信号を出力した場合に、前記エレベータの設置現場に設けられた遠隔監視装置が記憶する遠隔監視用プログラムを消去する。
【図面の簡単な説明】
【０００７】
【図１】図１は、第１実施形態に係るプログラム消去装置を備えたエレベータ遠隔監視システムの構成例を示すブロック図である。
【図２】図２は、第１実施形態に係るプログラム消去装置の動作例を示すフローチャートである。
【図３】図３は、第２実施形態に係るプログラム消去装置を備えたエレベータ遠隔監視システムの構成例を示すブロック図である。
【図４】図４は、第２実施形態に係るプログラム消去装置の動作例を示すフローチャートである。
【発明を実施するための形態】
【０００８】
以下、実施形態のプログラム消去装置およびプログラム消去方法について、図面を参照しながら詳細に説明する。本実施形態は、保守契約が終了した後にエレベータの設置現場に設けられた遠隔監視装置が記憶する遠隔監視用プログラムを自動で消去することにより、遠隔監視装置を回収できない場合であっても、遠隔監視用プログラムが解析されて技術情報が流出してしまうといった不都合を有効に防止できるようにしたものである。
【０００９】
＜第１実施形態＞
図１は、第１実施形態に係るプログラム消去装置１０Ａを備えたエレベータ遠隔監視システムの構成例を示すブロック図である。このエレベータ遠隔監視システムは、図１に示すように、プログラム消去装置１０Ａと、遠隔監視装置２０と、エレベータ制御盤３０と、遠隔監視サーバ４０とを備える。プログラム消去装置１０Ａ、遠隔監視装置２０およびエレベータ制御盤３０は、エレベータの設置現場に設けられている。遠隔監視サーバ４０は、監視センタに設けられている。エレベータ設置現場に設けられた遠隔監視装置２０と監視センタに設けられた遠隔監視サーバ４０とは、通信回線５０を介して通信可能に接続される。
【００１０】
遠隔監視装置２０は、エレベータの遠隔監視に必要な処理を実行するための遠隔監視用プログラム２１を記憶する。この遠隔監視装置２０は、エレベータの遠隔監視を含む保守契約が締結されることに応じてエレベータの設置現場に設置され、遠隔監視用プログラム２１に従って、エレベータの遠隔監視に必要な各種の処理を実行する。例えば、遠隔監視装置２０は、エレベータ制御盤３０から診断に用いる情報を収集して遠隔監視サーバ４０に送信したり、エレベータ制御盤３０から収集した情報を用いてエレベータの自己診断を行い、診断結果を遠隔監視サーバ４０に送信したりする。その他、遠隔監視装置２０は、記憶する遠隔監視用プログラム２１に応じて、エレベータの遠隔監視に関わる様々な処理を実行することができる。例えば、遠隔監視装置２０がエレベータ制御盤３０から収集した情報を解析することで故障の予兆を検知し、故障の程度に応じた情報を遠隔監視サーバ４０に送信する構成としてもよい。
【００１１】
エレベータ制御盤３０は、エレベータの各種動作を制御する制御装置である。このエレベータ制御盤３０は、一般的なエレベータの動作制御を行う機能に加え、遠隔監視装置２０からの要求に応じてエレベータの動作状態を表す各種情報を遠隔監視装置２０に伝送する機能を持つ。例えば、エレベータ制御盤３０は、エレベータの動作状態を表す各種情報を保持し、遠隔監視装置２０からの要求に応じて保持した情報を遠隔監視装置２０に伝送する。また、エレベータ制御盤３０は、遠隔監視装置２０からの要求に応じてエレベータを診断モードで動作させ、そのときのエレベータの動作状態を表す各種情報を遠隔監視装置２０に伝送してもよい。
【００１２】
遠隔監視サーバ４０は、遠隔監視装置２０との協働によりエレベータの遠隔監視を行う。例えば、遠隔監視サーバ４０は、遠隔監視装置２０から受信した情報をもとにエレベータの診断を行い、故障が検知されると異常発報したり、遠隔監視装置２０から受信した診断結果をもとに故障の有無を判断し、故障が検知されると異常発報したりする。その他、遠隔監視サーバ４０は、遠隔監視装置２０との協働により様々な遠隔監視サービスを提供することができる。なお、遠隔監視サーバ４０と遠隔監視装置２０とが協働してエレベータの遠隔監視を行うためには、遠隔監視装置２０と遠隔監視サーバ４０との間で通信回線５０を介した通信が確立されている必要がある。
【００１３】
プログラム消去装置１０Ａは、エレベータの保守契約が終了した後に、エレベータの設置現場に設けられた遠隔監視装置２０が記憶する遠隔監視用プログラム２１を自動で消去する機能を持つ。このプログラム消去装置１０Ａは、図１に示すように、タイマ１１と、制御部１２と、リセットスイッチ１３とを備える。
【００１４】
タイマ１１は、設定時間Ｔｓを保持するレジスタ１４と、プログラム消去装置１０Ａの内部で生成されるクロックをもとに時間をカウントするカウンタ１５と、カウンタ１５がカウントした時間Ｔｃをレジスタ１４が保持する設定時間Ｔｓと比較する比較器１６を有し、カウンタ１５がカウントした時間Ｔｃが設定時間Ｔｓに達すると制御信号を出力する。ここで、レジスタ１４が保持する設定時間Ｔｓは、エレベータの設置現場において保守作業員による保守作業が行われる間隔（周期、インターバル）Ｔｉに基づいて設定される。保守作業が行われる間隔Ｔｉは例えば保守契約に基づいて定められ、この保守作業が行われる間隔Ｔｉに所定のマージンαを加えた時間（Ｔｉ＋α）が設定時間Ｔｓとしてレジスタ１４に設定される。例えば、保守作業が行われる間隔Ｔｉが３０日（７２０時間）であれば、この間隔Ｔｉにマージンαとして例えば５日（１２０時間）を加えた３５日（８４０時間）が、設定時間Ｔｓとしてレジスタ１４に設定される。この場合、タイマ１１は、カウンタ１５がカウントした時間Ｔｃが８４０時間に達すると、制御信号を出力する。
【００１５】
制御部１２は、タイマ１１から制御信号が出力された場合に、遠隔監視装置２０が記憶する遠隔監視用プログラム２１を消去する。例えば、制御部１２は、遠隔監視装置２０が記憶する遠隔監視用プログラム２１をランダムなデータで上書きすることにより、この遠隔監視用プログラム２１を消去することができる。
【００１６】
リセットスイッチ１３は、エレベータの設置現場で保守作業を行う保守作業員が操作可能なスイッチである。保守作業員によりこのリセットスイッチ１３が操作されると、タイマ１１のカウンタ１５がカウントした時間Ｔｃがリセット（Ｔｃ＝０）される。レジスタ１４が保持する設定時間Ｔｓは、上述のように保守作業が行われる間隔Ｔｉに基づいて設定されるため、保守作業員が保守作業を行うタイミングでは、カウンタ１５がカウントした時間Ｔｃは設定時間Ｔｓに達していない。保守作業員は、例えば保守作業が完了したときにリセットスイッチ１３を操作してカウンタ１５がカウントした時間Ｔｃをリセットすることにより、次回の保守作業を行うまでの間に遠隔監視用プログラム２１が消去されないようにする。保守契約期間中は、保守作業員が保守作業を行うたびにリセットスイッチ１３を操作することにより、保守契約期間中に遠隔監視用プログラム２１が消去されないようにすることができる。
【００１７】
リセットスイッチ１３は、以上のようにタイマ１１のカウンタ１５がカウントした時間Ｔｃをリセットするためのスイッチであるが、遠隔監視装置２０と遠隔監視サーバ４０との間で通信回線５０を介した通信が確立されていなければ、リセットスイッチ１３が操作されても、カウンタ１５がカウントした時間Ｔｃはリセットされない。つまり、遠隔監視装置２０と遠隔監視サーバ４０との間で通信回線５０を介した通信が確立されていることを条件として、リセットスイッチ１３の操作に応じて、カウンタ１５がカウントした時間Ｔｃがリセットされる。
【００１８】
例えば、制御部１２がリセットスイッチ１３の操作を監視し、リセットスイッチ１３が操作されたときに遠隔監視装置２０の動作状態を確認する。そして、遠隔監視装置２０が遠隔監視サーバ４０との間の通信を確立している状態であれば、リセットスイッチ１３の操作を有効として、カウンタ１５がカウントした時間Ｔｃをリセットする。これにより、保守契約が終了した後（つまり、遠隔監視装置２０と遠隔監視サーバ４０との間の通信が遮断された後）、タイマ１１のカウンタ１５がカウントした時間Ｔｃが設定時間Ｔｓに達する前に、第三者によりリセットスイッチ１３が操作されることで遠隔監視用プログラム２１が消去されずに遠隔監視装置２０が記憶したままになることを防止することができる。
【００１９】
以上のように構成されるプログラム消去装置１０Ａは、例えば、エレベータの遠隔監視を含む保守契約が締結されることに応じて、遠隔監視装置２０とともにエレベータの設置現場に設置される。また、このプログラム消去装置１０Ａは、既設の遠隔監視装置２０に対して後付けで設置することもできる。プログラム消去装置１０Ａを設置する際に、保守契約に応じて定まる間隔Ｔｉに基づいて、タイマ１１のレジスタ１４に設定時間Ｔｓが設定される。
【００２０】
次に、図２を参照して、本実施形態に係るプログラム消去装置１０Ａの動作の概要を説明する。図２は、プログラム消去装置１０Ａの動作例を示すフローチャートである。
【００２１】
プログラム消去装置１０Ａの動作が開始されると、まず、タイマ１１のカウンタ１５が時間のカウントを開始する（ステップＳ１０１）。その後、比較器１６によって、カウンタ１５がカウントした時間Ｔｃとレジスタ１４が保持する設定時間Ｔｓとが比較され、カウンタ１５がカウントした時間Ｔｃが設定時間Ｔｓに達したか否かが判定される（ステップＳ１０２）。
【００２２】
ここで、カウンタ１５がカウントした時間Ｔｃが設定時間Ｔｓに達していなければ（ステップＳ１０２：Ｎｏ）、リセットスイッチ１３が操作されたか否かが判定される（ステップＳ１０３）。そして、リセットスイッチ１３が操作されていなければ（ステップＳ１０３：Ｎｏ）、ステップＳ１０２に戻って、カウンタ１５がカウントした時間Ｔｃが設定時間Ｔｓに達したか否かの判定が繰り返される。
【００２３】
一方、リセットスイッチ１３が操作された場合は（ステップＳ１０３：Ｙｅｓ）、次に、遠隔監視装置２０と遠隔監視サーバ４０との間の通信が確立されているか否かが判定される（ステップＳ１０４）。そして、遠隔監視装置２０と遠隔監視サーバ４０との間の通信が確立されていれば（ステップＳ１０４：Ｙｅｓ）、カウンタ１５がカウントした時間Ｔｃがリセットされ（ステップＳ１０５）、ステップＳ１０１に戻って時間のカウントが再開される。一方、遠隔監視装置２０と遠隔監視サーバ４０との間の通信が確立されていなければ（ステップＳ１０４：Ｎｏ）、リセットスイッチ１３の操作は無効とされ、ステップＳ１０２に戻って、カウンタ１５がカウントした時間Ｔｃが設定時間Ｔｓに達したか否かの判定が繰り返される。
【００２４】
カウンタ１５がカウントした時間Ｔｃが設定時間Ｔｓに達すると（ステップＳ１０２：Ｙｅｓ）、タイマ１１は制御信号を出力する（ステップＳ１０６）。そして、制御部１２が、タイマ１１が出力する制御信号に応じて、遠隔監視装置２０が記憶する遠隔監視用プログラム２１を消去する（ステップＳ１０７）。
【００２５】
以上説明したように、本実施形態に係るプログラム消去装置１０Ａは、タイマ１１のカウンタ１５がカウントした時間Ｔｃが設定時間Ｔｓに達すると、制御部１２が遠隔監視用プログラム２１を消去するように構成されている。したがって、遠隔監視装置２０が記憶する遠隔監視用プログラム２１を、保守契約が終了した後に自動で消去することができ、保守契約の終了後に遠隔監視装置２０を回収できない場合であっても、遠隔監視用プログラム２１が解析されて技術情報が流出してしまうといった不都合を有効に防止することができる。
【００２６】
＜第２実施形態＞
次に、第２実施形態について説明する。本実施形態は、設定時間Ｔｓの設定およびカウンタ１５のリセットを、保守作業員が携帯する保守端末を用いて行えるようにしたものである。また、上述の第１実施形態では、カウンタ１５がプログラム消去装置１０Ａの内部で生成されるクロックをもとに時間をカウントするようにしていたが、本実施形態では、エレベータ制御盤３０から取得される時間情報に基づいて時間をカウントする。以下では、上述の第１実施形態と同様の構成要素については共通の符号を付して説明を適宜省略し、本実施形態に特徴的な部分についてのみ説明する。
【００２７】
図３は、第２実施形態に係るプログラム消去装置１０Ｂを備えたエレベータ遠隔監視システムの構成例を示すブロック図である。本実施形態に係るプログラム消去装置１０Ｂは、上述の第１実施形態に係るプログラム消去装置１０Ａと比較して、リセットスイッチ１３の代わりに、保守端末６０が接続される接続部１７を備えた構成である。遠隔監視装置２０、エレベータ制御盤３０および遠隔監視サーバ４０の構成は、上述の第１実施形態と同様である。
【００２８】
プログラム消去装置１０Ｂは、保守作業員が携帯する保守端末６０が接続部１７に接続されると、保守端末６０と連携して動作する。例えば、保守作業員が保守端末６０を用いてカウンタ１５のリセットを指示する操作を行うと、保守端末６０から接続部１７を介してプログラム消去装置１０Ｂにリセット信号が入力される。このとき、遠隔監視装置２０と遠隔監視サーバ４０との間の通信が確立されていれば、入力されたリセット信号が有効とされてこのリセット信号に応じて、カウンタ１５がカウントした時間Ｔｃがリセットされる。なお、遠隔監視装置２０と遠隔監視サーバ４０との間の通信が確立されているかどうかは、例えば第１実施形態と同様に、制御部１２が遠隔監視装置２０の動作状態を確認することにより判定できる。
【００２９】
また、保守作業員が保守端末６０を用いて設定時間Ｔｓを設定する操作を行うと、保守端末６０から接続部１７を介してプログラム消去装置１０Ｂに設定信号が入力される。そして、この設定信号に応じて、保守作業員が指定した設定時間Ｔｓがレジスタ１４に設定される。保守作業員は、例えば、エレベータの設置現場で最初に保守作業を行うときに、保守端末６０をプログラム消去装置１０Ｂの接続部１７に接続し、保守端末６０を操作することで設定時間Ｔｓを設定することができる。保守作業員が設定する設定時間Ｔｓは、例えばその現場で保守作業を行う間隔Ｔｉに所定のマージンαを加えた時間である。また、次回の保守作業を行う時期を変更したい場合は、保守端末６０の操作により、レジスタ１４が保持する設定時間Ｔｓを変更することもできる。
【００３０】
本実施形態に係るプログラム消去装置１０Ｂは、例えば、エレベータ制御盤３０から遠隔監視装置２０を介して時間情報を取得する。そして、タイマ１１のカウンタ１５が、エレベータ制御盤３０から取得した時間情報に基づいて、時間Ｔｃをカウントする。時間情報は、エレベータ制御盤３０のシステムクロックやグローバルタイムなど、時間を表す情報であればよい。なお、本実施形態ではエレベータ制御盤３０から時間情報を取得するようにしているが、他の外部装置から時間情報を取得してもよい。
【００３１】
次に、図４を参照して、本実施形態に係るプログラム消去装置１０Ｂの動作の概要を説明する。図４は、プログラム消去装置１０Ｂの動作例を示すフローチャートである。
【００３２】
本実施形態では、まず、プログラム消去装置１０Ｂの接続部１７に保守端末６０が接続され、保守端末６０を用いた保守作業員の操作に応じて、タイマ１１のレジスタ１４に設定時間Ｔｓが設定される（ステップＳ２０１）。レジスタ１４に設定時間Ｔｓが設定されると、タイマ１１のカウンタ１５が時間のカウントを開始する（ステップＳ２０２）。その後、比較器１６によって、カウンタ１５がカウントした時間Ｔｃとレジスタ１４が保持する設定時間Ｔｓとが比較され、カウンタ１５がカウントした時間Ｔｃが設定時間Ｔｓに達したか否かが判定される（ステップＳ２０３）。
【００３３】
ここで、カウンタ１５がカウントした時間Ｔｃが設定時間Ｔｓに達していなければ（ステップＳ２０３：Ｎｏ）、保守端末６０から接続部１７を介してリセット信号が入力されたか否かが判定される（ステップＳ２０４）。そして、リセット信号が入力されていなければ（ステップＳ２０４：Ｎｏ）、ステップＳ２０３に戻って、カウンタ１５がカウントした時間Ｔｃが設定時間Ｔｓに達したか否かの判定が繰り返される。
【００３４】
一方、リセット信号が入力された場合は（ステップＳ２０４：Ｙｅｓ）、次に、遠隔監視装置２０と遠隔監視サーバ４０との間の通信が確立されているか否かが判定される（ステップＳ２０５）。そして、遠隔監視装置２０と遠隔監視サーバ４０との間の通信が確立されていれば（ステップＳ２０５：Ｙｅｓ）、カウンタ１５がカウントした時間Ｔｃがリセット信号に応じてリセットされ（ステップＳ２０６）、ステップＳ２０２に戻って時間のカウントが再開される。一方、遠隔監視装置２０と遠隔監視サーバ４０との間の通信が確立されていなければ（ステップＳ２０５：Ｎｏ）、リセット信号が無効とされ、ステップＳ２０３に戻って、カウンタ１５がカウントした時間Ｔｃが設定時間Ｔｓに達したか否かの判定が繰り返される。
【００３５】
カウンタ１５がカウントした時間Ｔｃが設定時間Ｔｓに達すると（ステップＳ２０３：Ｙｅｓ）、タイマ１１は制御信号を出力する（ステップＳ２０７）。そして、制御部１２が、タイマ１１が出力する制御信号に応じて、遠隔監視装置２０が記憶する遠隔監視用プログラム２１を消去する（ステップＳ２０８）。
【００３６】
以上説明したように、本実施形態に係るプログラム消去装置１０Ｂは、上述の第１実施形態に係るプログラム消去装置１０Ａと同様に、タイマ１１のカウンタ１５がカウントした時間Ｔｃが設定時間Ｔｓに達すると、制御部１２が遠隔監視用プログラム２１を消去するように構成されている。したがって、遠隔監視装置２０が記憶する遠隔監視用プログラム２１を、保守契約が終了した後に自動で消去することができ、保守契約の終了後に遠隔監視装置２０を回収できない場合であっても、遠隔監視用プログラム２１が解析されて技術情報が流出してしまうといった不都合を有効に防止することができる。
【００３７】
また、本実施形態に係るプログラム消去装置１０Ｂは、保守作業員が携帯する保守端末６０を用いてカウンタ１５がカウントした時間Ｔｃをリセットできるようにしているので、リセットスイッチ１３を不要として構成を簡単なものとすることができる。また、本実施形態に係るプログラム消去装置１０Ｂは、保守作業員が携帯する保守端末６０を用いて設定時間Ｔｓの設定や変更を行えるようにしているので、様々な条件に柔軟に対応することができる。
【００３８】
また、本実施形態に係るプログラム消去装置１０Ｂは、エレベータ制御盤３０などの外部装置から時間情報を取得してカウンタ１５による時間のカウントを行うようにしているので、プログラム消去装置１０Ｂの構成をより簡単なものとして、プログラム消去装置１０Ｂを小型化することができる。
【００３９】
なお、上述の第１実施形態および第２実施形態では、プログラム消去装置１０Ａ，１０Ｂを遠隔監視装置２０とは別の独立した装置として構成することを想定したが、プログラム消去装置１０Ａ，１０Ｂは、遠隔監視装置２０の一機能として実現することもできる。また、プログラム消去装置１０Ａ，１０Ｂは、エレベータ制御盤３０の一機能として実現することもできる。
【００４０】
以上述べた少なくとも一つの実施形態によれば、保守契約の終了後に遠隔監視装置２０を回収できない場合であっても、遠隔監視用プログラム２１が解析されて技術情報が流出してしまうといった不都合を有効に防止することができる。
【００４１】
以上、本発明の実施形態を説明したが、上述の実施形態は、例として提示したものであり、発明の範囲を限定することは意図していない。上述の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１０Ａ，１０Ｂ  プログラム消去装置、１１  タイマ、１２  制御部、１３  リセットスイッチ、１７  接続部、２０  遠隔監視装置、２１  遠隔監視用プログラム、３０  エレベータ制御盤、４０  遠隔監視サーバ、６０  保守端末。
【図１】
2019123621.tif 000003
【図２】
2019123621.tif 000004
【図３】
2019123621.tif 000005
【図４】
2019123621.tif 000006
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
エレベータの保守作業が行われる間隔に基づいて設定される設定時間を保持し、カウントした時間が前記設定時間に達すると制御信号を出力するタイマと、
前記タイマが前記制御信号を出力した場合に、前記エレベータの設置現場に設けられた遠隔監視装置が記憶する遠隔監視用プログラムを消去する制御部と、
前記保守作業を行う保守作業員が操作可能なリセットスイッチと、を備え、
前記タイマがカウントした時間は、前記リセットスイッチの操作に応じてリセットされるプログラム消去装置。
【請求項２】
エレベータの保守作業が行われる間隔に基づいて設定される設定時間を保持し、カウントした時間が前記設定時間に達すると制御信号を出力するタイマと、
前記タイマが前記制御信号を出力した場合に、前記エレベータの設置現場に設けられた遠隔監視装置が記憶する遠隔監視用プログラムを消去する制御部と、
前記保守作業を行う保守作業員が携帯する保守端末が接続される接続部と、を備え、
前記タイマがカウントした時間は、前記保守端末から前記接続部を介してリセット信号が入力されるとリセットされるプログラム消去装置。
【請求項３】
前記タイマがカウントした時間は、前記遠隔監視装置と監視センタに設けられた遠隔監視サーバとの間の通信が確立していることを条件としてリセットされる
請求項１または２に記載のプログラム消去装置。
【請求項４】
前記保守作業を行う保守作業員が携帯する保守端末が接続される接続部をさらに備え、
前記タイマの設定時間は、前記保守端末から前記接続部を介して入力される設定信号に応じて設定される
請求項１乃至３のいずれか一項に記載のプログラム消去装置。
【請求項５】
前記タイマは、前記エレベータの設置現場に設けられたエレベータ制御盤から取得した時間情報に基づいて時間をカウントする
請求項１乃至４のいずれか一項に記載のプログラム消去装置。
【請求項６】
タイマと制御部とを用いて実行されるプログラム消去方法であって、
前記タイマは、エレベータの保守作業が行われる間隔に基づいて設定される設定時間を保持し、カウントした時間が前記設定時間に達すると制御信号を出力し、
前記タイマがカウントした時間は、前記保守作業を行う保守作業員が操作可能なリセットスイッチの操作に応じてリセットされ、
前記制御部は、前記タイマが制御信号を出力した場合に、前記エレベータの設置環境に設けられた遠隔監視装置が記憶する遠隔監視用プログラムを消去する
プログラム消去方法。
【請求項７】
タイマと制御部とを用いて実行されるプログラム消去方法であって、
前記タイマは、エレベータの保守作業が行われる間隔に基づいて設定される設定時間を保持し、カウントした時間が前記設定時間に達すると制御信号を出力し、
前記タイマがカウントした時間は、前記保守作業を行う保守作業員が携帯する保守端末から、当該保守端末が接続される接続部を介してリセット信号が入力されるとリセットされ、
前記制御部は、前記タイマが制御信号を出力した場合に、前記エレベータの設置環境に設けられた遠隔監視装置が記憶する遠隔監視用プログラムを消去する
プログラム消去方法。
【手続補正２】
【補正対象書類名】明細書
【補正対象項目名】０００６
【補正方法】変更
【補正の内容】
【０００６】
実施形態のプログラム消去装置は、タイマと、制御部と、リセットスイッチと、を備える。タイマは、エレベータの保守作業が行われる間隔に基づいて設定される設定時間を保持し、カウントした時間が前記設定時間に達すると制御信号を出力する。制御部は、前記タイマが前記制御信号を出力した場合に、前記エレベータの設置現場に設けられた遠隔監視装置が記憶する遠隔監視用プログラムを消去する。リセットスイッチは、前記保守作業を行う保守作業員が操作可能である。前記タイマがカウントした時間は、前記リセットスイッチの操作に応じてリセットされる。